【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
被験者の器官の血流量を、器官に送出した出力高周波信号および器官から受け取った入力高周波信号を使用して算出する方法であって、出力高周波信号に対する入力高周波信号の位相偏移を決定し、前記位相偏移を使用して器官内の血流量を算出することを含む方法。
【請求項２】
血流量を算出するための前記位相偏移の使用は、前記位相偏移と血流量との間の直線関係を使用することを含む請求項１に記載の方法。
【請求項３】
実質的に一定のエンベロープの入力高周波信号を提供するように前記入力高周波信号の振幅変調を低減または除去することをさらに含む請求項１に記載の方法。
【請求項４】
前記振幅変調を低減または除去することは、実質的に一定のエンベロープの前記入力高周波信号の位相変調を維持することを含む請求項３に記載の方法。
【請求項５】
前記振幅変調の低減または除去はリミッタ増幅器による請求項３に記載の方法。
【請求項６】
前記出力高周波信号および前記入力高周波信号を混合して血流量を示す混合高周波信号を提供し、前記混合高周波信号の一部分を除去して前記混合高周波信号の残部の信号対雑音比を実質的に増大することをさらに含む請求項１に記載の方法。
【請求項７】
前記混合は、高周波和および高周波差を提供することを含む請求項６に記載の方法。
【請求項８】
前記混合高周波信号の一部分の除去は、前記高周波和を除去するように設計されかつ構成された低域通過フィルタによる請求項７に記載の方法。
【請求項９】
前記混合高周波信号の残部をアナログ増幅することをさらに含む請求項６に記載の方法。
【請求項１０】
前記混合高周波信号の残部をデジタル化することをさらに含む請求項６に記載の方法。
【請求項１１】
前記混合高周波信号の前記残部を使用して、一回拍出量、心拍出量、脳腔内血流量、および動脈血流量から成る群から選択される少なくとも一つの量を算出するためのデータプロセッサをさらに備える請求項６に記載の方法。
【請求項１２】
被験者の器官の血流量を、器官に送出した出力高周波信号および器官から受け取った入力高周波信号から算出するための装置であって、出力高周波信号に対する入力高周波信号の位相偏移を決定するための信号処理装置、および前記位相偏移を使用して器官内の血流量を算出するための血流量算出器を備えた装置。
【請求項１３】
前記血流量算出器は、前記位相偏移と血流量との間の直線関係を使用して血流量を算出するように動作可能である請求項１２に記載の装置。
【請求項１４】
前記直線関係の比例係数が被験者の心臓の収縮期拍出時間からなる請求項２または１３に記載の方法または装置。
【請求項１５】
被験者の器官の血流量を測定するためのシステムであって、
出力高周波信号を発生するための高周波発生器と、
被験者の皮膚に接続できるように設計され、器官に前記出力高周波信号を送出し、かつ器官の入力高周波信号を感知するための複数の電極と、
前記出力高周波信号に対する前記入力高周波信号の位相偏移であって、器官内の血流量を示す位相偏移を決定するための信号処理装置と
を備えたシステム。
【請求項１６】
前記信号処理装置は、実質的に一定のエンベロープの入力高周波信号を提供するために前記入力高周波信号の振幅変調を低減または除去するように設計されかつ構成されたエンベロープ除去装置を備える請求項１５に記載のシステム。
【請求項１７】
前記信号処理装置は、前記高周波発生器および前記複数の電極の少なくとも一部と電気的に導通し、前記出力高周波信号と前記入力高周波信号を混合して、血流量を示す混合高周波信号を提供するように設計されかつ構成されたミクサと、前記混合高周波信号の一部分を除去して、前記混合高周波信号の残部の信号対雑音比を実質的に増加するための電子回路とを備える請求項１５に記載のシステム。
【請求項１８】
前記混合高周波信号の前記残部を使用して、一回拍出量、心拍出量、脳腔内血流量、および動脈血流量から成る群から選択される少なくとも一つの量を算出するためのデータプロセッサをさらに備える請求項１７に記載のシステム。
【請求項１９】
前記データプロセッサと連絡して被験者の心拍数を制御するように動作可能なペースメーカをさらに備え、前記データプロセッサは前記少なくとも一つの量の値に従って、前記ペースメーカを電子的に制御するようにプログラムされる請求項１８に記載のシステム。
【請求項２０】
前記データプロセッサと連絡して被験者に薬剤を投与するように動作可能な薬剤投与装置をさらに備え、前記データプロセッサは前記少なくとも一つの量の値に従って、前記薬剤投与装置を電子的に制御するようにプログラムされる請求項１８に記載のシステム。
【請求項２１】
前記データプロセッサと連絡して前記心拍出量を増加するように動作可能な心臓補助装置をさらに備える請求項１８に記載のシステム。
【請求項２２】
前記動脈血流量は、外頸動脈血流量、内頸動脈血流量、尺骨血流量、撓骨血流量、上腕血流量、総腸骨血流量、外腸骨血流量、後脛骨血流量、前脛骨血流量、腓骨血流量、外側足底血流量、内側足底血流量、および深足底血流量から成る群から選択される請求項１１または１８に記載の方法またはシステム。
【請求項２３】
被験者の器官内の血流量を、器官に送出した出力高周波信号および器官から受け取った入力高周波信号から決定するための装置であって、前記入力高周波信号の振幅変調を低減または除去し、それによって実質的に一定のエンベロープの入力高周波信号を提供するように設計されかつ構成されたエンベロープ除去装置を有する電子回路と、実質的に一定のエンベロープの前記入力高周波信号を使用して器官内の血流量を決定する信号処理装置とを備えた装置。
【請求項２４】
前記信号処理装置は、実質的に一定のエンベロープの出力高周波信号に対する入力高周波信号の位相偏移であって、器官内の血流量を示す位相偏移を決定するように設計されかつ構成される請求項２３に記載の装置。
【請求項２５】
前記エンベロープ除去装置は、前記入力高周波信号の位相偏移を維持するように設計されかつ構成される請求項１６または２３に記載のシステムまたは装置。
【請求項２６】
前記エンベロープ除去装置は、リミッタ増幅器を備える請求項１６または２３に記載のシステムまたは装置。
【請求項２７】
実質的に一定のエンベロープの前記入力高周波信号および出力高周波信号を混合し、それによって混合高周波信号を提供するためのミクサをさらに含む請求項２３に記載の装置。
【請求項２８】
前記電子回路は、前記混合高周波信号の一部分を除去して前記混合高周波信号の残部の信号対雑音比を実質的に高めるように設計されかつ構成される請求項２７に記載の装置。
【請求項２９】
前記ミクサは、高周波和および高周波差を提供するように動作可能である請求項１７または２７に記載のシステムまたは装置。
【請求項３０】
前記電子回路は、前記高周波和を除去するための低域通過フィルタを備える請求項２９に記載のシステムまたは装置。
【請求項３１】
前記電子回路は、前記混合高周波信号の前記残部を増幅するためのアナログ増幅回路を備える請求項１７または２８に記載のシステムまたは装置。
【請求項３２】
前記電子回路は、前記混合高周波信号の前記残部をデジタル化するためのデジタイザを備える請求項１７または２８に記載のシステムまたは装置。
【請求項３３】
前記信号対雑音比は少なくとも１０ｄＢ増大される請求項１７、６または２８に記載のシステム、方法または装置。
【請求項３４】
前記信号対雑音比は少なくとも２０ｄＢ増大される請求項１７、６または２８に記載のシステム、方法または装置。